(57)【要約】【課題】電池パックが抜かれた場合でも防犯機能を作動させることができる携帯電子機器を提供すること。【解決手段】筐体から着脱可能な状態で保持された第１電池と、筐体に固定された第２電池と、第１電池及び第２電池から制御部に供給する電力を制御する電源制御部と、第１電池から供給される電圧と、第２電池から供給される電圧とを検出する電圧検出部と、非常事態であることを通知する防犯モードを起動させる防犯部と、第１電池または第２電池により充電され、電源制御部の制御状態によらず、制御部に電力を供給可能な状態で接続されたキャパシタと、を有し、電源制御部は、第１電池から供給される電圧が第１設定値以上の場合は、前記第１電池から供給される電力を制御部に供給することで、上記課題を解決する。【選択図】        図１
2010154348.tif 000002
【特許請求の範囲】
【請求項１】
無線により基地局と通信する通信部と、
前記通信部を制御する制御部と、
筐体と、
前記筐体から着脱可能な状態で保持され前記制御部に電力を供給する第１電池と、
前記筐体に固定され、前記制御部に電力を供給する第２電池と、
前記第１電池及び前記第２電池から前記制御部に供給する電力を制御する電源制御部と、
前記第１電池から供給される電圧と、前記第２電池から供給される電圧とを検出する電圧検出部と、
非常事態であることを通知する防犯モードを起動させる防犯部と、
前記第１電池または前記第２電池により充電され、前記電源制御部の制御状態によらず、前記制御部に電力を供給可能な状態で接続されたキャパシタと、を有し、
前記電源制御部は、前記第１電池から供給される電圧が第１設定値以上の場合は、前記第１電池から供給される電力を前記制御部に供給することを特徴とする携帯電子機器。
【請求項２】
前記防犯部は、前記筐体に前記第１電池が装着されているかを検出し、装着されていないことを検出したら防犯モードを起動させることを特徴とする請求項１に記載の携帯電子機器。
【請求項３】
前記防犯部は、前記第１電池から供給される電圧が前記第１設定値より低くなり、かつ、前記第１電池から供給される電圧が前記第１設定値よりも低い電圧値である第２設定値以下となった場合は、防犯モードを起動させることを特徴とする請求項１に記載の携帯電子機器。
【請求項４】
前記電源制御部は、設定により、前記第１電池から供給される電圧が前記第１設定値より低くなった場合に、前記制御部に電力を供給する電池を前記第１電池から前記第２電池に切り換えることと、前記第２電池には切り換えないこととのいずれかを選択できることを特徴とする請求項１から３のいずれか１項に記載の携帯電子機器。
【請求項５】
前記電源制御部は、前記防犯部及び前記制御部が起動していない状態でも、前記筐体に前記第１電池が装着されているかを検出する検出部を有し、
前記検出部により、前記第１電池が前記筐体から取り外されたことを検出されたら、前記第２電池から前記制御部への電力の供給を開始させることを特徴とする請求項１から４のいずれか１項に記載の携帯電子機器。
【請求項６】
さらに、ＧＰＳ衛星からの信号を受信するＧＰＳ信号を受信するＧＰＳ受信部と、
前記防犯部は、前記ＧＰＳ受信部が受信したＧＰＳ信号から検出した位置情報を前記通信部から予め設定された端末に送信する防犯モードを備えることを特徴とする請求項１から５のいずれか１項に記載の携帯電子機器。
【請求項７】
前記防犯部は、ブザーを鳴動させる防犯モードを有することを特徴とする請求項１から６のいずれか１項に記載の携帯電子機器。
【請求項８】
前記防犯部は、複数の防犯モードを有し、複数の防犯モードの中から予め選択された防犯モードを起動させることを特徴とする請求項１から７のいずれか１項に記載の携帯電子機器。
【請求項９】
前記防犯部は、複数の防犯モードから第１の防犯モードと第２の防犯モードが予め設定されており、
前記第１電池から供給される電圧が前記第１設定値以下になり、かつ、前記第１電池から供給される電圧が前記第１設定値よりも低い電圧値である第２設定値以下となった場合は、第１の防犯モードを起動させ、さらに、前記第１の防犯モードの起動中に、予め設定された操作信号の入力を検出した場合は、第２の防犯モードを起動させることを特徴とする請求項１から８のいずれか１項に記載の携帯電子機器。
【請求項１０】
前記防犯部は、何も起動させない防犯モードを含む複数の防犯モードから少なくとも１つの防犯モードを設定することができることを特徴とする請求項１から９のいずれか１項に記載の携帯電子機器。
【発明の詳細な説明】
【技術分野】
【０００１】
本発明は、通信機能を有する携帯電子機器に関するものであり、より詳しくは、通信機能及び防犯機能を有する携帯電子機器に関するものである。
【背景技術】
【０００２】
一般に携帯電話機等の携帯電子機器は、電池が消耗し出力電圧が低下したら、電源をＯＦＦする処理を行い、携帯機器としての機能を停止させる。そのため、ユーザの使用時に携帯電子機器の機能が突然停止することを防止するために、多くの携帯機器には、電池の出力電圧を検出し、出力電圧が低下したら、電池の残量が少ないことを表示や音声等でユーザに知らせる機能が設けられている。
【０００３】
また、携帯電子機器の機能を維持するため、また、記憶されている情報を保存するために、主として使用する電池の他にバックアップ用の電源を設ける方法も提案されている。例えば、固定電話に関する記載であるが、特許文献１には、商用電源の失効中にＲＡＭ内のデータを保存するためのバックアップ用電源を設けることが記載されている。また、特許文献１には、データの一部が破損していた場合は、全てのデータを消去することが記載されている。また、特許文献２には、主電池と補助電池を設け、主電池の電圧が低下した場合には、補助電池に切り換える携帯用通信機器が記載されている。また、特許文献３には、２つの電池を設け、各電池をそれぞれ独立して使用でき、独立して交換できる構成とした携帯電話機が記載されている。
【０００４】
また、特許文献４には、バッテリ（電池）を交換した場合でも通話動作を維持できるように、電源電圧の供給断時間が予め設定された所定時間以内である場合は、直前の状態に復帰させる携帯型電子機器が記載されている。
【０００５】
ここで、近年、携帯電話機等の携帯電子機器、特に子供向けの携帯電話機には、誘拐等の犯罪に巻き込まれることを防ぐ目的で各種の防犯機能（セキュリティ機能）が搭載されている。ここで、防犯機能としては、ＧＰＳ（Global Positioning System）信号による位置追跡機能や、防犯ブザー機能や、発光機能等がある。このような防犯機能を有する携帯電話では、電池を取り外されてしまうと、機能停止してしまい防犯機能を十分に果たすことができない。これに対して、特許文献５には、電池収納部に被せるカバーの取付穴をカバーキャップによって覆った状態で固定し、カバーが簡単に取り外されないようにした構成の携帯電話機が記載されている。
【０００６】
また、特許文献６には、防犯機能を有する携帯電話機として、防犯ブザーの鳴動中或いはブザー鳴動停止後に電源キーの操作により電源がオフされた場合は、一定時間ごとに位置情報を取得し、取得した位置情報を特定の宛て先に送信する擬似電源オフ状態とする携帯電話機が記載されている。
【０００７】
【特許文献１】特公平０４−６６４１９号公報
【特許文献２】特開平０５−３８０５７号公報
【特許文献３】特開平０７−２８３７７５号公報
【特許文献４】特開平０６−４３９７９号公報
【特許文献５】特開２００８−２８７１５号公報
【特許文献６】特開２００８−６１１５３号公報
【発明の開示】
【発明が解決しようとする課題】
【０００８】
ここで、特許文献５に示す携帯電子機器のように、電池が電池収納部から容易に外れない構成とすることで、犯人により電池が取り外されることを防止できる。しかしながら、電池が消耗したら予備の電池と交換することで、携帯電子機器をより長時間可能にすることが困難になる。
【０００９】
また、特許文献１〜４に記載の携帯通信装置は、電池の交換を対象としており、最低限の機能のみのバックアップや、短時間のデータの保存をしているに過ぎない。そのため、主電池を取り外されると、防犯機能や通信機能を長時間維持することはできない。
【００１０】
本発明は、上記に鑑みてなされたものであって、電池パックが抜かれた場合でも防犯機能を作動させることができる携帯電子機器を提供することを目的とする。
【課題を解決するための手段】
【００１１】
上述した課題を解決し、目的を達成するために、本発明は、無線により基地局と通信する通信部と、前記通信部を制御する制御部と、筐体と、前記筐体から着脱可能な状態で保持され前記制御部に電力を供給する第１電池と、前記筐体に固定され、前記制御部に電力を供給する第２電池と、前記第１電池及び前記第２電池から前記制御部に供給する電力を制御する電源制御部と、前記第１電池から供給される電圧と、前記第２電池から供給される電圧とを検出する電圧検出部と、非常事態であることを通知する防犯モードを起動させる防犯部と、前記第１電池または前記第２電池により充電され、前記電源制御部の制御状態によらず、前記制御部に電力を供給可能な状態で接続されたキャパシタと、を有し、前記電源制御部は、前記第１電池から供給される電圧が第１設定値以上の場合は、前記第１電池から供給される電力を前記制御部に供給することを特徴とする。
【００１２】
ここで前記防犯部は、前記筐体に前記第１電池が装着されているかを検出し、装着されていないことを検出したら防犯モードを起動させることが好ましい。
【００１３】
また、前記防犯部は、前記第１電池から供給される電圧が前記第１設定値より低くなり、かつ、前記第１電池から供給される電圧が前記第１設定値よりも低い電圧値である第２設定値以下となった場合は、防犯モードを起動させることも好ましい。
【００１４】
また、前記電源制御部は、設定により、前記第１電池から供給される電圧が前記第１設定値より低くなった場合に、前記制御部に電力を供給する電池を前記第１電池から前記第２電池に切り換えることと、前記第２電池には切り換えないこととのいずれかを選択できることも好ましい。
【００１５】
また、前記電源制御部は、前記防犯部及び前記制御部が起動していない状態でも、前記筐体に前記第１電池が装着されているかを検出する検出部を有し、前記検出部により、前記第１電池が前記筐体から取り外されたことを検出されたら、前記第２電池から前記制御部への電力の供給を開始させることが好ましい。
【００１６】
また、さらに、ＧＰＳ衛星からの信号を受信するＧＰＳ信号を受信するＧＰＳ受信部と、前記防犯部は、前記ＧＰＳ受信部が受信したＧＰＳ信号から検出した位置情報を前記通信部から予め設定された端末に送信する防犯モードを備えることが好ましい。
【００１７】
また、前記防犯部は、ブザーを鳴動させる防犯モードを有することが好ましい。
【００１８】
また、前記防犯部は、複数の防犯モードを有し、複数の防犯モードの中から予め選択された防犯モードを起動させることが好ましい。
【００１９】
また、前記防犯部は、複数の防犯モードから第１の防犯モードと第２の防犯モードが予め設定されており、前記第１電池から供給される電圧が前記第１設定値以下になり、かつ、前記第１電池から供給される電圧が前記第１設定値よりも低い電圧値である第２設定値以下となった場合は、第１の防犯モードを起動させ、さらに、前記第１の防犯モードの起動中に、予め設定された操作信号の入力を検出した場合は、第２の防犯モードを起動させることが好ましい。
【００２０】
また、前記防犯部は、何も起動させない防犯モードを含む複数の防犯モードから少なくとも１つの防犯モードを設定することができることが好ましい。
【発明の効果】
【００２１】
本発明にかかる携帯電子機器は、着脱可能な第１電池がはずされた場合も防犯手段を作動させることができるという効果を奏する。さらに、第１電池がはずされたことを起因として防犯モードを作動させることができるという効果を奏する。
【発明を実施するための最良の形態】
【００２２】
以下に、本発明にかかる携帯電子機器の実施形態を図面に基づいて詳細に説明する。なお、この実施形態によりこの発明が限定されるものではない。例えば、以下に示す実施形態では、携帯電子機器が、いわゆる携帯電話機の場合として説明するが、本発明はこれに限定されない。本発明の携帯電子機器は、ネットワークまたは外部の端末とデータの送受信を行う機能を有する種々の携帯電子機器、例えば、ＰＤＡ（Personal Digital Assistant）、ポータブルナビゲーション装置、携帯ゲーム機や携帯テレビ等にも用いることができる。
【００２３】
図１は、本発明にかかる携帯電子機器の一実施形態の概略構成を示すブロック図であり、図２は、図１に示す携帯電子機器の外観、電池パック及び内臓電池の概略構成を示す斜視図である。図１に示すように携帯電子機器１０は、基本的に、筐体１２と、電池パック１４と、カバー１６と、内臓電池１８と、電源制御部２０と、ＣＰＵ（Central Processing Unit）２２と、メモリ２４と、通信部２６と、操作部２８と、音声処理部３０と、表示部３２と、ＧＰＳ（Global Positioning System）受信部３４とを有する。なお、携帯電子機器１０は、上記構成の他にも画像表示部や、各種端子等、携帯電子機器として有する各種構成を有している。
【００２４】
筐体１２は、携帯電子機器１０の各部を内部に収納する外装である。ここで、筐体１２としては、ヒンジで連結された２つの部材で構成され、折りたたみ可能な筐体や、２つの部材をスライドさせる筐体や、１つの箱型の筐体等が例示される。
【００２５】
電池パック１４は、二次電池であり、蓄電された電力を電源制御部２０に供給し、ＣＰＵ２２や、各部を作動させる。電池パック１４は、図２に示すように、筐体１２に対して着脱可能な状態で保持されている。また、電池パック１４は、端子１４ａを有し、筐体１２に設けられた端子１２ａと接続される。
【００２６】
カバー１６は、電池パック１４の保持位置を覆うように形成されており、一部を筐体１２にはめ込むことで、筐体１２に固定される。カバー１６を筐体１２にはめ込むことで、電池パック１４は、目視されない状態となる。なお、カバー１６は、スライドさせることで、容易に着脱できる状態ではめ込まれている。
【００２７】
内蔵電池１８は、電池パック１４と同様に二次電池であり、蓄電された電力を電源制御部２０に供給し、ＣＰＵ２２や、各部を作動させる。内蔵電池１８は、筐体１２の内部に収納されており、筐体１２に固定されている。この内蔵電池１８は、筐体１２の内部に収納されているため、筐体１２のねじ等を取り外し、分解しないと取り外すことはできない。
【００２８】
電池選択回路４２は、電池パック１４から供給される電力と内蔵電池１８から供給される電力のうち、どちらの電池から電源制御部２０に電力を供給するかを選択する回路である。電池選択回路４２は、電池パック１４から供給される電力が一定電圧以上の場合は、電池パック１４から供給される電力を電源制御部２０に供給する。電源制御回路４２については、後ほど詳細に説明する。
【００２９】
電源制御部２０は、電池パック１４または内蔵電池１８から電池選択回路４２を介して供給される電力を、ＣＰＵ２２や、ディスプレイ等の表示部３２に電力を供給する。また、電源制御部２０は、充電制御部４０を有する。充電制御部４０は、充電端子５４を介して外部から充電用の電流が供給された際に、外部から供給される電流により電池パック１４を充電させるか、内蔵電池１８を充電させるか、また、片方の電池のみを充填させるか、両方の電池を同時に充電させるかを切り換える。ここで、充電端子５４は、ケーブルを介して家庭用のコンセント、電池等と接続される端子であり、コンセント等から供給される電力（電圧、電流）を受け取る部分である。充電端子５４から電力が供給されたら、電池パック１４または内蔵電池１８は、充電制御部４０の制御に基づいて充電される。
【００３０】
ＣＰＵ２２は、携帯電子機器１０の全体的な動作を統括的に制御する処理部である。すなわち、携帯電子機器１０の各種の処理が、操作部２８の操作や携帯電子機器１０のメモリ２４に保存されるソフトウェアに応じて適切な手順で実行されるように、電源制御部２０や、通信部２６や、表示部３２等の動作を制御する。携帯電子機器１０の各種の処理としては、例えば、回線交換網を介して行われる音声通話、電子メールの作成及び送受信、インターネットのＷｅｂ（World Wide Web）サイトの閲覧等がある。また、通信部２６や音声処理部３０等の動作としては、例えば、通信部２６における信号の送受信、音声処理部３０における音声の入出力、表示部３２における画像の表示等がある。
【００３１】
ＣＰＵ２２は、メモリ２４に保存されているプログラム（例えば、オペレーティングシステムプログラム、アプリケーションプログラム等）に基づいて処理を実行する。ＣＰＵ２２は、例えば、マイクロプロセッサユニット（ＭＰＵ：Micro Processor Unit）で構成され、前記ソフトウェアで指示された手順にしたがって上述した携帯電子機器１の各種の処理を実行する。すなわち、ＣＰＵ２２は、メモリ２４に保存されるオペレーティングシステムプログラムやアプリケーションプログラム等から命令コードを順次読み込んで処理を実行する。
【００３２】
ＣＰＵ２２は、複数のアプリケーションプログラムを実行する機能を有する。ＣＰＵ２２が実行するアプリケーションプログラムとしては、例えば、電池が抜かれた場合等に設定された動作を行う防犯アプリケーションプログラム、設定及び電池の残量に応じて使用する電池を切り換えたり維持したりする電池選択アプリケーションプログラム等の複数のアプリケーションプログラムがある。
【００３３】
メモリ２４には、ＣＰＵ２２での処理に利用されるソフトウェアやデータが保存されており、上述した、防犯アプリケーションプログラムを作動させる防犯処理タスク４６、電池選択アプリケーションプログラムを作動させる電池選択タスク４８が保存されている。防犯処理タスク４６及び電池選択タスク４８について、後ほど詳述する。また、メモリ２４には、これらのタスク以外に、例えば、通信、ダウンロードされた画像データや音声データ等、あるいはメモリ２４に対する制御にＣＰＵ２２が用いるソフトウェア、通信相手の電話番号やメールアドレス等を保存し、管理するアドレス帳、発信音や着信音等の音声ファイル、ソフトウェアの処理過程で用いられる一時的なデータ等が保存されている。なお、ソフトウェアの処理過程で用いられるコンピュータプログラムや一時的なデータは、ＣＰＵ２２によってメモリ２４に割り当てられた作業領域へ一時的に保存される。メモリ２４は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００３４】
通信部２６は、基地局によって割り当てられるチャネルを介し、基地局との間でＣＤＭＡ方式などによる無線信号回線を確立し、基地局との間で電話通信及び情報通信を行う。
【００３５】
操作部２８は、例えば、電源キー、通話キー、数字キー、文字キー、方向キー、決定キー、発信キーなど、各種の機能が割り当てられたキーで構成され、これらのキーがユーザの操作により入力されると、その操作内容に対応する信号を発生させる。そして、発生した信号は、ユーザの指示としてＣＰＵ２２へ入力される。
【００３６】
音声処理部３０は、マイク５０に入力される音声信号やスピーカ５２から出力される音声信号の処理を実行する。すなわち、音声処理部３０は、マイク５０から入力される音声を増幅し、ＡＤ変換（Analog Digital変換）を実行した後さらに符号化等の信号処理を施して、ディジタルの音声データに変換してＣＰＵ２２へ出力する。また、ＣＰＵ２２から送られる音声データに対して復号化、ＤＡ変換（Digital Analog変換）、増幅等の処理を施してアナログの音声信号に変換してから、スピーカ５２へ出力する。
【００３７】
表示部３２は、液晶ディスプレイ（ＬＣＤ、Liquid  Crystal  Monitor）や、有機ＥＬ（Organic  Electro−Luminescence）パネルなどの表示パネルを備え、ＣＰＵ２２から供給される映像データに応じた映像を表示パネルに表示させる。
【００３８】
ＧＰＳ受信部３４は、ＧＰＳ衛星から発信されるＧＰＳ信号を受信する受信部である。また、ＧＰＳ受信部３４は、受信したＧＳＰ信号から携帯電子機器１０の緯度経度を算出し、算出した緯度経度の情報をＣＰＵ２２に入力する。
【００３９】
次に、図３を用いて、電池選択回路４２についてより詳細に説明する。ここで、図３は、図１に示す携帯電子機器の概略構成を示す回路ブロック図である。なお、図３において、複数のＶＭＡＩＮは、それぞれ分断されているが、実際は配線により接続されている。また、ＶＳＵＢも同様である。
【００４０】
電池選択回路４２は、Ｐ−ＦＥＴ（Ｐ型Field Effect Transistor）１０２と、抵抗１０４と、ダイオード１０６と、Ｐ−ＦＥＴ１０８と、抵抗１１０と、ダイオード１１２と、コンデンサ１１４と、ＤＥＴ１１６と、ＮＰＮ型トランジスタ１１８と、抵抗１２０、１２２とを有する。
【００４１】
Ｐ―ＦＥＴ１０２は、Ｐ型電界効果トランジスタであり、ドレイン側が電池パック１４と接続され、ソース側がダイオード１０６を介して電源制御部２０と接続され、ゲート側が、ＮＰＮ型トランジスタ１１８が連結されている配線１２４と接続されている。抵抗１０４は、Ｐ−ＦＥＴ１０２のドレイン側とゲート側とを繋げる配線に設けられている。ダイオード１０６は、アノード側がＰ−ＦＥＴ１０２と接続され、カソード側が電源制御部２０に接続されている。
【００４２】
Ｐ―ＦＥＴ１０８も、Ｐ型電界効果トランジスタであり、ドレイン側が内蔵電池１８と接続され、ソース側がダイオード１１２を介して電源制御部２０と接続され、ゲート側が、ＤＥＴ１１６と抵抗１２０とが連結されている配線１２６と接続されている。抵抗１１０は、Ｐ−ＦＥＴ１０８のドレイン側とゲート側とを繋げる配線に設けられている。ダイオード１１２は、アノード側が配線１２４を介してＰ−ＦＥＴ１０２と接続され、カソード側が電源制御部２０に接続されている。
【００４３】
コンデンサ１１４は、一方が接地されており、つまり、ＧＮＤに接続されており、他方が電源制御部２０と、ダイオード１０６及びダイオード１１２とを繋げる配線に接続されている。また、本実施形態では、コンデンサ１１４を配置したが、電池の切換時等、電源制御部２０に供給される電圧が低下したときに、一定の電圧を供給することができるキャパシタであれば、コンデンサ以外の電気を溜める種々の機構を用いることができる。
【００４４】
ＤＥＴ１１６は、ボルテージディテクタであり、リファレンス電圧発生ブロック、コンパレータ、出力ＦＥＴ（Field Effect Transistor）とで構成されている。ＤＥＴ１１６は、オープンドレイン出力であり、入力側が電池パック１４と接続され、出力側が配線１２６と接続されている。ＤＥＴ１１６は、電池パック１４から入力された入力電圧が基準電圧以上の場合はＯｐｅｎとなり、入力電圧を配線１２６に出力する。また、ＤＥＴ１１６は、電池パック１４から入力された入力電圧が基準電圧未満の場合はＬｏｗとなり、配線１２６をＧＮＤに接続させる。なお、ここで、基準電圧は、電源制御部２０に供給される電圧の最低電圧によって決定する電圧であり、ＤＥＴ１１６に入力される電圧が基準電圧であれば、携帯電子機器１０を通常に動作させることができる電圧である。
【００４５】
ＮＰＮ型トランジスタ１１８は、ベースが抵抗１２０を介して配線１２６と接続され、コレクタが配線１２４と接続され、エミッタが接地されている。抵抗１２０は、一方が配線１２６と接続され、他方がＮＰＮ型トランジスタ１１８のベースと接続されている。抵抗１２２は、ＮＰＮ型トランジスタ１１８のベース側とエミッタ側とを接続する配線に設けられている。
【００４６】
また、電池パック１４は、抵抗１３０、１３２を介して、接地されており、抵抗１３０と抵抗１３２とを接続する配線は、ＣＰＵ２２と接続されている。さらに、内蔵電池１８は、抵抗１３４、１３６を介して、接地されており、抵抗１３４と抵抗１３６とを接続する配線は、ＣＰＵ２２と接続されている。ＣＰＵ２２には、電池パック１４から出力され、抵抗１３０を通過した電圧がＡ／Ｄ１として入力され、内蔵電池１８から出力され、抵抗１３４を通過した電圧がＡ／Ｄ２として入力される。
【００４７】
次に、電池選択回路４２の作用について説明する。まず、電池パック１４の電池の残量が十分にあり、電池パック１４からは高い電圧が出力される場合は、電池パック１４からＤＥＴ１１６に入力される電圧は、基準電圧以上となり、ＤＥＴ１１６がＯｐｅｎとなる。ＤＥＴ１１６がＯｐｅｎとなると、電池パック１４からの出力がＮＰＮ型トランジスタ１１８のベースに入力され、抵抗１１０により内蔵電池１８の電圧にプルアップされるため、ＮＰＮ型トランジスタ１１８のエミッタ・コレクタ間が接続される。これにより、Ｐ−ＦＥＴ１０２のゲートがＬｏｗとなるため、Ｐ−ＦＥＴ１０２がＯｎ状態となり電池パック１４から供給される電圧（ＶＭＡＩＮ）が、Ｐ−ＦＥＴ１０２及びダイオード１０６を通過して電源制御部２０に供給される。
【００４８】
また、電池パック１４から供給され、ＤＥＴ１１６から出力された電圧（ＶＭＡＩＮ）は、Ｐ―ＦＥＴ１０８のゲートにも入力される。しかしながら、抵抗１１０により、Ｐ―ＦＥＴ１０８は、Ｈｉｇｈ状態となるため、Ｐ−ＦＥＴ１０８はＯｐｅｎとなり、内蔵電池１８から供給される電圧（ＶＳＵＢ）は、電源制御部２０には、供給されない。これにより、電池選択回路４２は、電池パック１４に規定電圧以上の電荷がある場合には、電源制御部２０には電池パック１４のみから電圧が供給される。
【００４９】
次に、電池パック１４の電池の残量が減少していき、電池パック１４から出力される電圧が、規定電圧以下となった場合について説明する。電池パック１４から出力される電圧が規定電圧以下となると、ＤＥＴ１１６に入力される電圧が、規定電圧以下となり、ＤＥＴ１１６の出力がＬｏｗとなる。ＤＥＴ１１６の出力がＬｏｗとなると、Ｐ−ＦＥＴ１０８のゲート入力はＬｏｗとなり、内蔵電池１８から供給される電圧（ＶＳＵＢ）は、Ｐ−ＦＥＴ１０８及びダイオード１１２を通過し、電源制御部２０に供給される。
【００５０】
また、電池パック１４から出力される電圧が規定電圧以下となり、ＤＥＴ１１６の出力がＬｏｗとなると、ＮＰＮ型トランジスタ１１８のベースに入力される電圧がＬｏｗとなるため、Ｐ−ＦＥＴ１０２のゲートがＯｐｅｎとなり、抵抗１０４により、電池パック１４の電圧にプルアップされ、Ｐ−ＦＥＴ１０２のゲートとソースが同電位となるため、Ｐ−ＦＥＴ１０２がＯｆｆとなる。
【００５１】
また、電源制御部２０に電力を供給する電池が切り替わる際に、電源制御部２０とダイオード１０６、１１２との間の電圧が低下したら、コンデンサ１１４から電源制御部２０に電荷が供給され、電源制御部２０には一定の電圧が供給される。
【００５２】
このように、電池選択回路４２により、電池パック１４から出力される電圧によって電源制御部２０に電力を供給する電池を切り換えることで、電源制御部２０に電力を供給する電池を電池パック１４から内蔵電池１８への切り替えをスムーズに行うことができ、操作者の動作を中断させることなく、携帯電子機器１０の使用を続けることが可能となる。また、内蔵電池１８の使用時は、Ｐ−ＦＥＴ１０２がＯｆｆとなるため、電池パック１４への負荷が無くなり、電池パック１４での過放電の発生も抑制することができる。
【００５３】
次に、図４を用いて携帯電子機器１０の動作について説明する。ここで、図４は、携帯電子機器の処理動作の一例を示すフロー図である。まず、携帯電子機器１０は、ステップＳ１２として、電池パック１４から電源制御部２０に電力を供給する。また、電源制御部２０は、電池パック１４から供給された電力を、ＣＰＵ２２や、表示部３２等に供給し、携帯電子機器１０を駆動させる。
【００５４】
電池パック１４からの電力が供給されている場合は、ＣＰＵ２２は、ステップＳ１４として、Ａ／Ｄ１が第１電圧規定値以上であるかを判定する。ここで、Ａ／Ｄ１は、電池パック１４から出力された後、抵抗１３４を通過し、ＣＰＵ２２に入力される電圧であり、第１電圧規定値は、電池パック１４から電源制御部２０に入力される電圧が基準電圧となったときにＡ／Ｄ１としてＣＰＵ２２に入力される電圧である。したがって、ＣＰＵ２２は、ステップＳ１４で、電池パック１４から出力される電圧が、電源制御部２０に電力を供給する電源が電池パック１４から内蔵電池１８に切り換えられる電圧まで下がっているかを検出している。なお、第１電圧規定値は、ＤＥＴ１１６で発生する誤差や、Ａ／Ｄ１の検出時の誤差を加味しても、電池パック１４から出力される電圧が基準電圧まで低下していると判定することができるＡ／Ｄ１の値である。ＣＰＵ２２は、Ａ／Ｄ１が第１電圧規定値以上の場合は、再び、ステップＳ１４に進み、Ａ／Ｄ１が第１電圧規定値以上であるかを判定する。このように、ＣＰＵ２２は、第１電圧規定値より小さくなるまで、ステップＳ１４を繰り返す。また、ＣＰＵ２２は、ステップＳ１４で、Ａ／Ｄ１が第１電圧規定値より小さいと判定したら、ステップＳ１６に進む。
【００５５】
ＣＰＵ２２は、ステップＳ１４でＡ／Ｄ１が第１電圧規定値より小さいと判定したら、ステップＳ１６として、Ａ／Ｄ１が第２電圧規定値以上であるかを判定する。ここで、第２電圧規定値は、電池パック１４が接続されていれば、検出される電圧値、例えば最低の電圧値である。なお、第２電圧規定値は、Ａ／Ｄ１の検出の際に生じる誤差を加味した電圧値である。ＣＰＵ２２は、ステップＳ１６で、Ａ／Ｄ１が第２電圧規定値以上であると判定したら、ステップＳ１８に進み、Ａ／Ｄ１が第２電圧規定値未満であると判定したらステップＳ２６に進む。
【００５６】
ＣＰＵ２２は、ステップＳ１６で、Ａ／Ｄ１が第２電圧規定値以上であると判定したら、ステップＳ１８で、電池パック１４は抜かれていないと判定し、ステップＳ２０に進む。ＣＰＵ２２は、ステップＳ２０として、電池パック１４から内蔵電池１８への切換の設定があるかを判定する。具体的には、ＣＰＵ２２は、メモリ２４から電池選択タスク４８を読み出し、電池選択アプリケーションソフトを立ち上げる。ＣＰＵ２２は、電池選択アプリケーションソフトで操作者により設定された設定を読み出し、内蔵電池１８を使用して携帯電子機器１０の通常動作を駆動させる設定になっているか否かを判定する。
【００５７】
ＣＰＵ２２は、ステップＳ２０で、電池パック１４から内蔵電池１８への切換の設定があると判定したら、ステップＳ２２に進み、内蔵電池１８から電源制御部２０に供給される電圧で、携帯電子機器１０を作動させる。その後、ＣＰＵ２２は、ステップＳ２４として、Ａ／Ｄ１が第１電圧規定値以上であるかの判定をする。つまり、ＣＰＵ２２は、電池パック１４の電力が電源制御部２０に電力を供給することができる電圧まで回復しているかを判定する。ＣＰＵ２２は、ステップＳ２４で、Ａ／Ｄ１が第１電圧規定値未満であると判定したら、ステップＳ２２に進み、Ａ／Ｄ１が第１電圧規定値上であると判定したら、処理を終了する。つまり、ＣＰＵ２２は、電池パック１４の電力が回復するまで、ステップＳ２２で、内蔵電池１８から電源制御部２０に供給された電力により携帯電子機器１０を駆動しつつ、ステップＳ２４で、Ａ／Ｄ１が第１電圧規定値以上であるかの判定を繰り返す。また、電池パック１４から供給される電圧が第１基準値以上まで回復したら処理を終了する。なお、携帯電子機器１０は、電池パック１４から供給される電圧が第１基準値以上まで回復したら、上記フローチャートをまたステップＳ１２からの処理を行うようにすればよい。
【００５８】
一方、ステップＳ２０で電池パック１４から内蔵電池１８への切換が設定されていないと判定したら、内蔵電池１８からの供給されるによりＣＰＵ２２を駆動させることなく、処理を終了する。なお、この後、ＣＰＵ２２は、設定に基づいて処理を行う。設定としては、例えば、電池切れであることを操作者に通知した後、携帯電子機器１０の電源をオフとする設定や、電源を切り換えることなく、電池パック１４の電力供給ができなくなるまで、携帯電子機器１０を駆動させる設定がある。
【００５９】
一方、ＣＰＵ２２は、ステップＳ１６で、Ａ／Ｄ１が第２電圧規定値未満であると判定したら、ステップＳ２６で電池パック１４が抜かれたと判定する。その後、ＣＰＵ２２は、メモリ２４から防犯処理タスク４６を読み出し、防犯アプリケーションソフトを立ち上げる。ＣＰＵ２２は、防犯アプリケーションソフトで、操作者により設定された設定を読み出し、設定に基づいて、各部を作動させる。また、防犯アプリケーションソフトは、操作者の電池選択アプリケーションソフトでの設定によらず、内蔵電池１８から供給される電力を使用して携帯電子機器１０の各部を駆動させる。
【００６０】
本実施形態では、ＣＰＵ２２は、ステップＳ２８として、ＧＰＳ位置情報を定期送信する。具体的には、ＧＰＳ受信部３４によりＧＰＳ衛星から携帯電子機器１０の緯度経度情報（つまり、位置情報）を取得し、通信部２６を用いて取得した位置情報を設定された端末に送信する。この位置情報の取得と、予め設定された端末への送信を一定時間間隔で繰り返す。なお、この時間間隔、及び送信する端末は、操作者により予め設定されている。
【００６１】
ＣＰＵ２２は、ステップＳ２８で、ＧＰＳ位置情報の定期送信を行いつつ、ステップＳ３０として、電池パック１４が挿入されているかを判定する。ＣＰＵ２２は、ステップＳ３０で、電池パック１４が挿入されていないと判定したら、ステップＳ２８に進む。つまり、ＣＰＵ２２は、電池パック１４が所定の位置に戻されたことを検出するまで、防犯アプリケーションソフトを駆動させ、防犯処理を続ける。また、ＣＰＵ２２は、ステップＳ３０で、電池パック１４が挿入されていると判定したら、防犯アプリケーションソフトを終了させ、処理を終了する。
【００６２】
このように、ＣＰＵ２２を駆動するための電力を供給する電力源として、取り外し可能な電池パック１４と、筐体１２の内部に保持された内蔵電池とを設けることで、電池パックが抜かれた場合もＣＰＵ２２及び、その他携帯電子機器１０の各部を駆動させることができ、電池パック１４が抜かれた場合も防犯アプリケーションソフトを起動させ、携帯電子機器１０の位置を検出し、その位置を特定の端末に送信する等の防犯機能を使用することができる。電池パック１４が抜かれても防犯機能が使用できることで、犯人等の加害者により携帯電子機器１０の電池パックが取り外されても防犯機能を維持することができ、携帯電子機器としての防犯能力を高くすることができる。
【００６３】
具体的な一例としては、加害者は、携帯電子機器１０の電池パック１４を抜き取ることで、携帯電子機器１０で使用できない状態になったと油断するが、実際には、防犯機能を使用できる、つまり、現在位置を通知することができる。これにより、加害者を油断させつつ、防犯機能を使用することができるため、防犯能力を高くすることができる。より具体的には、携帯電子機器１０が子供用の携帯電話機であり、携帯電子機器１０がランドセルにくくりつけられていると、加害者は、容易に携帯電子機器１０を取り外すことができない。このような場合、加害者は、ランドセルに取り付けたままの状態で携帯電子機器１０から電池パック１４を取り外し、そのまま放置する。この場合も、位置情報を通知することができ、防犯能力を高くすることができる。
【００６４】
また、携帯電子機器１０は、電池パック１４から出力される電圧が基準値以下となっても、内蔵電池１８により、携帯電子機器１０による通話機能や、インターネット機能を使用することができる。このように、内蔵電池１８に蓄電された電力の使用し、内蔵電池に蓄電された電力が少なくなった場合でも、電池パック１４のみの電力で携帯電子機器１０を駆動させる場合より、防犯能力を高くすることができる。
【００６５】
また、通常は取り外されない電池パックが取りはずれされたことを検出したら、防犯アプリケーションソフトを立ち上げるようにすることで、突然事件に巻き込まれ、携帯電子機器１０を操作する間もなく加害者に携帯電子機器１０を取り上げられ、電池パック１０を抜かれた場合でも防犯機能を起動させることができる。また、操作者により、予め設定できるようにすることで、単に電池交換する場合は防犯機能が起動しないようにすることもできる。
【００６６】
ここで、上記実施形態では、ステップＳ２０の電池選択アプリケーションソフトによる処理において、内蔵電池１８を使用するか否かのみを操作者が設定した場合について説明したが、操作者による設定は、これに限定されない。例えば、電池パックに充電が必要なことを通知するため、また、置き忘れられた場合の対策として、電池の切換の必要が生じた場合にブザーが鳴動するような設定や、ＧＰＳ受信部に位置情報を取得し、特定の端末（つまり、特定の相手）に位置情報を送信するような設定にすることもできる。
【００６７】
また、上記実施形態では、電池パックが抜かれた場合に防犯機能を起動するようにしたが、上記設定に加えて／または替えて、ユーザの操作、例えば特定のキーを押す、ストラップを引き抜く等を行うことで、防犯機能が起動するようにしてもよい。なお、この場合は、ＣＰＵ２２が、所定の操作信号を入力されたことを検出したら防犯機能が起動するようにする。
【００６８】
また、上記実施形態では、防犯アプリケーションソフトで、ＧＰＳ受信部で受信した位置情報を特定の端末に送信するようにしたが、防犯アプリケーションソフトによる防犯動作は、これに限定されず、ブザーを鳴動させるようにしてもよく、発光するようにしてもよい。このように、ブザーを鳴動させたり発光させたりすることにより、周囲の第３者に緊急事態であることを知らせ、助けを求めることができる。また、犯人をひるませたり、退散させたりすることができる。また、電池パックが外れたら、ブザーがなったり、発光したりするようにすることで、防犯機能に加え、携帯電子機器１０を落とし、かつ、電池パックが外れた場合に、操作者が落としたことに迅速に気づくことができる。これにより、携帯電子機器１０を無くすことを抑制することができる。
【００６９】
また、防犯モードとしては、何もしない防犯モードを設定できるように、つまり、防犯機能をＯＦＦできるようにすることも好ましい。このように、何もしない防犯モードが設定可能となることで、防犯機能を必要としない操作者も携帯電子機器を好適に使用することができる。また、電池パックの交換時に誤って防犯モードが起動され、ブザーが鳴動したり、位置情報が通知されたりすることを防止できる。
【００７０】
また、電池パック１４がはずされたら、外見上は、電源がＯＦＦ状態となるように、例えば、表示部には画像を表示させない、着信があっても着信音を鳴動させないように、設定できるようにすることが好ましい。これにより、犯人に気づかれずに防犯機能を起動させることができる。
【００７１】
また、防犯アプリケーションソフトは、電池パックが抜かれたら、外見上は電源がＯＦＦ状態となっているような状態とし、かつ、ＣＰＵ２２を駆動させた状態とし、さらに、所定の操作、例えば特定のキーを押す、ストラップを引き抜く等がされたら、ブザーを鳴動させるようにしてもよく、発光するような設定ができるようにしてもよい。つまり、電池パックが抜かれたら、操作を待つ待機状態の防犯モードとし、その状態で特定の操作が入力されたら、第２の防犯モードとして、操作者に危険が迫っていることを第３者に知らせる動作を行うようにしてもよい。
【００７２】
ここで、携帯電子機器は、ＣＰＵ２２が駆動されていない状態でも、電池パックが抜き取られたら、防犯機能を起動できるようにすることが好ましい。以下、図５を用いて説明する。図５は、携帯電子機器の回路ブロックの他の一例を示す回路ブロック図である。なお、図５に示す携帯電子機器７０は、電池検知部７４を有することを除いて他の構成は、図３に示す携帯電子機器１０の各部と同様である。したがって、以下は、携帯電子機器７０の特有の点について詳細に説明する。
【００７３】
図５に示す携帯電子機器７０は、全体構成の図示は省略したが、図１に示す携帯電子機器１０と同様に、筐体１２と、電池パック１４と、カバー１６と、内臓電池１８と、電源制御部７２と、ＣＰＵ２２と、メモリ２４と、通信部２６と、操作部２８と、音声処理部３０と、表示部３２と、ＧＰＳ受信部３４とを有する。なお、携帯電子機器７０は、上記構成の他にも画像表示部や、各種端子等、携帯電子機器として有する各種構成を有している。
【００７４】
電源制御部７２は、電池検知部７４を有する。電池検知部７４は、電池パック１４と接続されており、電池パック１４から出力される電圧（ＶＭＡＩＮ）を検知している。また、電池検知部７４は、ＣＰＵ２２を起動させる起動スイッチと連結されており、電池パック１４から出力される電圧（ＶＭＡＩＮ）が実質的に０、つまり、電池パック１４がはずされたら、起動スイッチを作動させ、ＣＰＵ２２を起動させる。なお、このとき、携帯電子機器７０は、電池パック１４が外された状態であるため、電源制御部７２は、内蔵電池１８から出力される電力、また、コンデンサ１１４に蓄電された電荷によりＣＰＵ２２を起動させ、駆動させる。このように、電源制御部７２は、ＣＰＵ２２の停止時に、電池パック１４が取り除かれたら、ＣＰＵ２２を起動させる。
【００７５】
ＣＰＵ２２は、駆動されたら、上述と同様の方法で電池パック１４が取り外されていることを検出し、防犯アプリケーションソフトを起動させる。このように、携帯電子機器７０は、ＣＰＵ２２が停止している場合に電池パック１４が取り外されたときも、防犯機能を起動することができる。したがって、加害者により携帯電子機器１４の電源が切られた後、電池パック１４がはずされた場合でも防犯機能を起動させることができるため、より防犯性を高くすることができる。
【００７６】
なお、上記実施形態では、ＣＰＵ２２を起動させた後、ＣＰＵ２２により図４に示すフローチャートを実行させることで、防犯アプリケーションソフトを起動させるようにしたが、本発明はこれに限定されない。例えば、電池検知部７４で電池パック１４が取り外されたことを検出したら、ＣＰＵ２２を起動後、電池検知部７４により起動されたことをトリガーとして、防犯アプリケーションソフトを起動させるようにしてもよい。
【００７７】
また、説明の簡略化のために、各例を個別に説明したが、それぞれの実施形態を共に備えていてもよいことは言うまでもない。
【産業上の利用可能性】
【００７８】
以上のように、本発明にかかる携帯電子機器は、携帯電話機等の携帯電子機器に有用であり、特に、高い防犯能力が求められる携帯電話機として用いることに適している。
【図面の簡単な説明】
【００７９】
【図１】本発明の携帯電子機器の一実施形態の概略構成を示すブロック図である。
【図２】図１に示す携帯電子機器の外観、電池パック及び内臓電池の概略構成を示す斜視図である。
【図３】図１に示す携帯電子機器の概略構成を示す回路ブロック図である。
【図４】携帯電子機器の処理動作の一例を示すフロー図である。
【図５】携帯電子機器の回路ブロックの他の一例を示す回路ブロック図である。
【符号の説明】
【００８０】
１０、７０  携帯電子機器
１２  筐体
１４  電池パック
１６  カバー
１８  内蔵電池
２０、７２  電源制御部
２２  ＣＰＵ
２４  メモリ
２６  通信部
２８  操作部
３０  音声処理部
３２  表示部
３４  ＧＰＳ受信部
４０  充電制御部
４２  電池選択回路
４６  防犯処理タスク
４８  電池選択タスク
５０  マイク
５２  スピーカ
５４  充電端子
７４  電池検知部
１０２、１０８  Ｐ−ＦＥＴ
１０４、１１０、１２０、１２２  抵抗
１０６、１１２  ダイオード
１１４  コンデンサ
１１６  ＤＥＴ
１１８  ＮＰＮ型トランジスタ
【図１】
2010154348.tif 000003
【図２】
2010154348.tif 000004
【図３】
2010154348.tif 000005
【図４】
2010154348.tif 000006
【図５】
2010154348.tif 000007